(57)【要約】【課題】プロジェクターに使用するシャッター式３Ｄメガネへの赤外線送信機において、プロジェクターとの位置関係に関わらず、赤外線送信範囲を拡大させることのできる赤外線送信機及びプロジェクションシステムを提供する。【解決手段】本発明の赤外線送信機は、画像表示装置において表示する左眼用画像及び右眼用画像を含む立体画像の表示タイミングと、３Ｄ画像を視るために用いられるシャッター式メガネにおいて左眼用画像と右眼用画像とを交互に透過させるシャッター部の駆動タイミングと、を同期させる同期信号をシャッター式メガネに向けて送信する信号送信部と、信号送信部を移動させることによって同期信号の出力方向を変化させる移動機構と、を備え、信号送信部には、同期信号を赤外線信号として送信する光源を有することを特徴とする。【選択図】図２
2013017013.tif 000002
【特許請求の範囲】
【請求項１】
画像表示装置において表示する左眼用画像及び右眼用画像を含む立体画像の表示タイミングと、前記３Ｄ画像を視るために用いられるシャッター式メガネにおいて前記左眼用画像と前記右眼用画像とを交互に透過させるシャッター部の駆動タイミングと、を同期させる同期信号を前記シャッター式メガネに向けて送信し、前記同期信号を赤外線信号として送信する光源を有する信号送信部と、
前記信号送信部を移動させることで前記同期信号の出力方向を変化させる移動機構と、を備えることを特徴とする赤外線送信機。
【請求項２】
前記移動機構は、前記信号送信部を一定の角度範囲で周期的に往復移動可能とする機能を有する
ことを特徴とする請求項１に記載の赤外線送信機。
【請求項３】
前記信号送信部は、前記移動機構による可動方向に直交する方向の向きを調整する調整機構を有している。
ことを特徴とする請求項１または２に記載の赤外線送信機。
【請求項４】
前記信号送信部には前記光源が複数設けられている
ことを特徴とする請求項１から３のいずれか一項に記載の赤外線送信機。
【請求項５】
左眼用画像及び右眼用画像を含む３Ｄ画像を表示する画像表示部を有する画像表示装置と、
前記３Ｄ画像の前記左眼用画像と前記右眼用画像とを透過させるシャッター部を有するシャッター式メガネと、
前記画像表示部によって表示する前記３Ｄ画像の表示タイミングと前記シャッター部の駆動タイミングとを同期させる同期信号を前記シャッター式メガネに送信する赤外線送信機と、を備え、
前記赤外線送信機は、前記シャッター式メガネに向けて前記同期信号を送信する信号送信部と、前記信号送信部を一定の角度範囲で周期的に移動させることで前記同期信号の送信方向を変化させる移動機構と、を有している
ことを特徴とするプロジェクションシステム。
【請求項６】
前記シャッター式メガネは、前記赤外線送信機からの前記同期信号を受信する信号受信部と、当該信号受信部において前記赤外線送信機からの前記同期信号を受信できない場合に、既に受信済みの前記同期信号に基づいて前記シャッター部を自走させる自走回路と、を備える
ことを特徴とする請求項５に記載のプロジェクションシステム。
【発明の詳細な説明】
【技術分野】
【０００１】
本発明は、赤外線送信機及びプロジェクションシステムに関するものである。
【背景技術】
【０００２】
近年、立体（３Ｄ）画像を表示する表示装置や、表示システムも種々提案され始めている。例えば、左眼用画像及び右眼用画像から構成される３Ｄ（立体）画像を出力する画像出力装置（プロジェクター等）と、当該画像出力装置から出力された３Ｄ画像を視るために用いられる３Ｄメガネと、を備える表示システムが知られている。このようなシステムにおいて、３Ｄメガネは、左眼用画像と右眼用画像とを交互に透過させる（左眼と右眼に交互に光を通過、遮断させる）ように駆動する左右のシャッターを備え、外部から受信した同期信号に基づいてシャッター駆動信号を生成し、シャッターを駆動させている。
【０００３】
ところが、プロジェクター側の赤外線送信部と、シャッター式３Ｄメガネ側の赤外線受信部との位置関係によっては、赤外線送信側から送信された信号が赤外線受信側にて受信できないエリアがある。さらに、障害物によって赤外線信号が行き届かなくなることもあるため、ユーザーの視聴位置が限定されてしまう。これを解決するためには、プロジェクターとは別に用いられる外付けタイプの赤外線送信機を用いて、赤外線信号の受信範囲を広げる必要がある。
また、ＬＥＤの数を増やして赤外線信号の送信範囲を拡大させることも可能であるが、コストや消費電力の観点から、ＬＥＤの数を増加させることなく赤外線信号の送信範囲を拡大させる手法が望まれている。
【０００４】
特許文献１には、エアコンの制御指令を赤外線信号として送信する赤外線送信ユニットが開示されており、ＬＥＤを所定角度刻みで係止可能に回転させる構成とすることによって、赤外線信号の届く赤外線送信範囲を拡大させることのできる技術が記載されている。
【先行技術文献】
【特許文献】
【０００５】
【特許文献１】特開２００８−８２５８７号公報
【発明の概要】
【発明が解決しようとする課題】
【０００６】
しかしながら、３Ｄ画像（立体画像）を出力するプロジェクターに上記したような赤外線送信ユニットを適用する場合、赤外線送信範囲の拡大を図りつつ、左眼用画像及び右眼用画像を含む立体画像の表示タイミングと、左眼用画像と右眼用画像とを透過させるシャッター部の駆動タイミングとを調整する必要がある。
【０００７】
本発明は、上記従来技術の問題点に鑑み成されたものであって、プロジェクターに使用するシャッター式３Ｄメガネへの赤外線送信機において、プロジェクターやユーザーとの位置関係に関わらず、赤外線送信範囲を拡大させることのできる赤外線送信機及びプロジェクションシステムを提供することを目的の一つとしている。
【課題を解決するための手段】
【０００８】
本発明の赤外線送信機は、画像表示装置において表示する左眼用画像及び右眼用画像を含む立体画像の表示タイミングと、前記３Ｄ画像を視るために用いられるシャッター式メガネにおいて前記左眼用画像と前記右眼用画像とを交互に透過させるシャッター部の駆動タイミングと、を同期させる同期信号を前記シャッター式メガネに向けて送信し、前記同期信号を赤外線信号として送信する光源を有する信号送信部と、前記信号送信部を移動させることで前記同期信号の出力方向を変化させる移動機構と、を備えることを特徴とする。
【０００９】
これによれば、プロジェクターに使用するシャッター式メガネに対して同期信号を同期信号として送信する赤外線送信機において、赤外線送信機の信号送信部（光源）の向きを周期的に可動させることで、通常では赤外線送信側と受信側（シャッター式メガネ）の位置関係で送信された信号が受信側に届かないエリアでも、受信可能とする赤外線送信機が得られる。
【００１０】
また、前記移動機構は、前記信号送信部を一定の角度範囲で周期的に往復移動可能とする機能を有する構成としてもよい。
これによれば、信号送信部（光源）を一定の角度範囲で周期的に往復移動させることによって同期信号（赤外線信号）の送信範囲を拡大させることができる。これにより、プロジェクターや視認者の位置に関わらず、シャッター式メガネにおいて同期信号を受信させることが可能となる。
【００１１】
また、前記信号送信部は、前記移動機構による可動方向に直交する方向の向きを調整する調整機構を有している構成としてもよい。
これによれば、信号送信部（光源）の向きを２方向で制御することができるので、プロジェクターや視認者の位置に関わらず、シャッター式メガネに光源を向けることができる。これにより、シャッター式メガネにおいて信号送信部からの同期信号を確実に受信させることが可能となる。
【００１２】
また、前記信号送信部には前記光源が複数設けられている構成としてもよい。
このように、信号送信部に複数の光源を設けておくことにより信号送信領域の拡大に寄与する。
【００１３】
本発明のプロジェクターは、左眼用画像及び右眼用画像を含む３Ｄ画像を表示する画像表示部を有する画像表示装置と、前記３Ｄ画像の前記左眼用画像と前記右眼用画像とを透過させるシャッター部を有するシャッター式メガネと、前記画像表示部によって表示する前記３Ｄ画像の表示タイミングと前記シャッター部の駆動タイミングとを同期させる同期信号を前記シャッター式メガネに送信する赤外線送信機と、を備え、前記赤外線送信機は、前記シャッター式メガネに向けて前記同期信号を送信する信号送信部と、前記信号送信部を一定の角度範囲で周期的に移動させることで前記同期信号の送信方向を変化させる移動機構と、を有していることを特徴とする。
【００１４】
これによれば、赤外線送信機の信号送信部の向きを一定の角度範囲で周期的に可動させることによって、通常では赤外線送信側と受信側（シャッター式メガネ）の位置関係によっては、送信された信号が受信側に届かないエリアでも受信可能とする赤外線送信機が得られる。
【００１５】
また、前記シャッター式メガネは、前記赤外線送信機からの前記同期信号を受信する信号受信部と、当該信号受信部において前記赤外線送信機からの前記同期信号を受信できない場合に、既に受信済みの前記同期信号に基づいて前記シャッター部を自走させる自走回路と、を備える構成としてもよい。
【００１６】
これによれば、移動機構によって光源を周期的に移動するように構成された赤外線送信機から送信された同期信号をシャッター式メガネにおいて間欠的に受信する場合にも、シャッター式メガネで同期信号を受信できない期間中、既に受信済みの同期信号に基づいてシャッター切換のための駆動制御を行うことができる。これにより、赤外線送信機からの送信範囲を拡大させるために信号送信部を移動させる構成であっても、プロジェクターやユーザーの位置に関わらず、シャッター式メガネにおいて赤外線送信機からの送信信号を確実に受信することが可能になる。よって、ユーザーは好きな場所で映像を視認することができる。
【図面の簡単な説明】
【００１７】
【図１】本実施形態のプロジェクションシステムの概略構成を示す図
【図２】本実施形態のプロジェクターの画像表示部における概略構成を示す図。
【図３】本実施形態のプロジェクションシステムの回路部の構成を示す図。
【図４】赤外線エミッタの概略構成を示す図。
【図５】シャッター式３Ｄメガネの概略構成を示すブロック図。
【発明を実施するための形態】
【００１８】
以下、本発明の実施形態につき、図面を参照して説明する。なお、以下の説明に用いる各図面では、各部材を認識可能な大きさとするため、各部材の縮尺を適宜変更している。
【００１９】
本発明の一実施形態について、図１〜図５を用いて説明する。
本実施形態のプロジェクターは、赤色光変調用、緑色光変調用、青色光変調用の３組の液晶ライトバルブを備えた、いわゆる３板式液晶プロジェクターであり、右眼用画像と左眼用画像からなる立体画像の表示が可能なプロジェクターの例である。
【００２０】
図１は、本実施形態のプロジェクションシステムの概略構成を示す図である。図２は、本実施形態のプロジェクターの画像表示部における概略構成を示す図である。
図１に示すように、本実施形態のプロジェクションシステムは、プロジェクター１と、スクリーン１９と、赤外線エミッタ４０と、シャッター式３Ｄメガネ２７とを含む。
図２に示すように、本実施形態のプロジェクター（画像表示装置）１の画像表示部２は、光源３、ダイクロイックミラー４，５、反射ミラー６，７，８、入射レンズ９、リレーレンズ１０、射出レンズ１１、液晶ライトバルブ１２Ｒ，１２Ｇ，１２Ｂ、クロスダイクロイックプリズム１３、投射レンズ１４等から構成されている。その他、光源３から射出される光の照度分布を均一化するためのインテグレータ光学系、光源３から射出される光の偏光状態を液晶ライトバルブ１２Ｒ，１２Ｇ，１２Ｂで用いる偏光に揃える偏光変換光学系を備えていても良い。
【００２１】
光源３は、超高圧水銀ランプ、メタルハイドロランプ等の放電灯１６と、放電灯１６の光を反射するリフレクター１７とから構成されている。ダイクロイックミラー４は、光源３からの白色光に含まれる赤色光ＬＲを透過させるとともに、青色光ＬＢと緑色光ＬＧとを反射する機能を有している。ダイクロイックミラー５は、青色光ＬＢを透過させるとともに、緑色光ＬＧを反射する機能を有している。よって、ダイクロイックミラー４を透過した赤色光は反射ミラー６で反射されて、赤色光用液晶ライトバルブ１２Ｒに入射される。また、ダイクロイックミラー４で反射された緑色光ＬＧは、ダイクロイックミラー５によって反射され、緑色光用液晶ライトバルブ１２Ｇに入射される。
【００２２】
さらに、ダイクロイックミラー４で反射された青色光は、ダイクロイックミラー５を透過する。青色光に対しては、長い光路による光損失を防ぐため、入射レンズ９、リレーレンズ１０、および射出レンズ１１を含むリレーレンズ系からなる導光光学系１８が設けられている。この導光光学系１８を介して青色光が青色光用液晶ライトバルブ１２Ｂに入射される。
【００２３】
各液晶ライトバルブ１２Ｒ，１２Ｇ，１２Ｂによって変調された３つの色光は、クロスダイクロイックプリズム１３に入射する。このクロスダイクロイックプリズム１３は４つの直角プリズムを貼り合わせたものであり、その界面には赤光を反射する誘電体多層膜と青光を反射する誘電体多層膜とがＸ字状に形成されている。これらの誘電体多層膜により３つの色光が合成されて、カラー画像を表す光が形成される。合成された光は、投射光学系である投射レンズ１４によってスクリーン１９上に投影され、画像が拡大表示される。
【００２４】
本実施形態のプロジェクター１は、画像表示部２に立体画像情報が入力された時に、右眼用画像と左眼用画像とが時分割で交互に切り替わりながら投射されるものとする。このとき、ユーザーは、画像の切り換えと同期して右眼と左眼とが交互に開閉するシャッター式３Ｄメガネ（シャッター式メガネ）２７を着用することで、立体画像を視認することができる。シャッター式３Ｄメガネ２７の構成については後述するものとする。
【００２５】
図３は、本実施形態に係るプロジェクションシステムの回路部の構成を示す図である。
プロジェクター１は、上記した画像表示部２の他に、図３に示す直流電源部２２、放電灯点灯部２３、画像処理部２４等からなる回路部２５を備えている。また、本発明にかかるプロジェクションシステム５０は、プロジェクター（画像表示装置）１、シャッター式３Ｄメガネ（シャッター式メガネ）２７、および赤外線エミッタ（赤外線送信機）４０を備えている。また、プロジェクションシステムとしては、さらに使用者とスクリーン１９とを含む。スクリーン１９は、プロジェクター１からの映像信号を映し出すものである。
【００２６】
赤外線エミッタ４０は、自動首振機能を有し、プロジェクター１からスクリーン１９に投射される映像信号に基づいて、シャッター式３Ｄメガネ２７の制御指令の情報を赤外線信号に変換するものである。赤外線エミッタ４０は、所定の角度範囲で赤外線送信部（図５参照）を水平面に沿って周期的に往復可動（回動）させながら、赤外線信号をシャッター式３Ｄメガネ２７に向けて出力する。
【００２７】
シャッター式３Ｄメガネ２７は、右シャッター（シャッター部）３２Ｒと左シャッター（シャッター部）３２Ｌとを備えている。右シャッター３２Ｒおよび左シャッター３２Ｌは、赤外線エミッタ４０から入力される赤外線信号に基づいて開閉が制御される。使用者がシャッター式３Ｄメガネ２７を装着した場合に、右シャッター３２Ｒが閉じられることにより右眼用の視野を遮ることができる。また、使用者がシャッター式３Ｄメガネ２７を装着した場合に、左シャッター３２Ｌが閉じられることにより左眼用の視野を遮ることができる。右シャッター３２Ｒおよび左シャッター３２Ｌは、例えば液晶シャッターで構成することができる。また、シャッター式３Ｄメガネ２７は、自走回路において、赤外線エミッタ４０からの赤外線信号を受信できない場合に、既に受信済みの赤外線信号に基づいて右シャッター３２Ｒ，左シャッター３２Ｌの開閉制御を行う自走信号を生成する。
【００２８】
直流電源部２２は、外部の交流電源３０から供給される交流電圧を一定の直流電圧に変換し、トランス（図示しないが、直流電源部２２に含まれる）の２次側にある画像信号変換部２８、画像処理部２４、ＣＰＵ２９及びトランスの１次側にある放電灯点灯部２３に直流電圧を供給する。
【００２９】
放電灯点灯部２３は、プロジェクター１の起動時に放電灯１６の一対の電極間に高電圧を発生させ、絶縁破壊を生じさせて放電路を形成し、以降、放電灯１６が放電を維持するための駆動電流Ｉ１を供給する。
【００３０】
画像信号変換部２８は、外部から入力された立体画像信号ＳＧ１（輝度−色差信号やアナログ信号など）を所定のワード長のデジタルＲＧＢ信号に変換して画像信号ＳＧ２Ｒ，ＳＧ２Ｇ，ＳＧ２Ｂを生成する。このとき、画像信号変換部２８は、右眼用画像信号ＳＧ３と左眼用画像信号ＳＧ４とをＣＰＵ２９に供給する。
【００３１】
画像処理部２４は、上記した３つの画像信号ＳＧ２Ｒ，ＳＧ２Ｇ，ＳＧ２Ｂに対してガンマ補正特性の調整を行う。具体的には、入力された画像信号と画像表示部の出力光量とのガンマ特性において、画像信号が０％であるときの出力光量を０％より大きい値に設定される。すなわち、ガンマ特性は、投射される画像のコントラストが低下する方向に設定される。また、画像処理部２４は、ガンマ補正の画像処理を実行した後、液晶ライトバルブ１２Ｒ，１２Ｇ，１２Ｂをそれぞれ駆動するための駆動信号ＳＧ８Ｒ，ＳＧ８Ｇ，ＳＧ８Ｂを生成し、それらの駆動信号ＳＧ８Ｒ，ＳＧ８Ｇ，ＳＧ８Ｂを液晶ライトバルブ１２Ｒ，１２Ｇ，１２Ｂに供給する。
【００３２】
液晶ライトバルブ１２Ｒ，１２Ｇ，１２Ｂは、それぞれの駆動信号ＳＧ８Ｒ，ＳＧ８Ｇ，ＳＧ８Ｂに基づいて、上述の画像表示部２を介して各液晶ライトバルブ１２Ｒ，１２Ｇ，１２Ｂに入射される色光の輝度を変調する。
【００３３】
ＣＰＵ２９は、プロジェクター１の点灯開始から消灯に至るまでの動作を制御する。具体的には、ＣＰＵ２９は、通信信号ＳＧ５を介して点灯命令や消灯命令を放電灯点灯部２３に向けて出力する。また、ＣＰＵ２９は、通信信号ＳＧ６を介して放電灯点灯部２３から放電灯１６の点灯情報を受け取る。さらに、ＣＰＵ２９は、右眼用画像信号ＳＧ３及び左眼用画像信号ＳＧ４に基づいて、右眼用画像と左眼用画像とを切り換えるタイミング信号ＳＧ７を生成し、有線又は無線の通信手段を介して赤外線エミッタ４０に出力する。
また、ＣＰＵ２９は、赤外線エミッタ４０を一定の角度範囲で周期的に回動させるための制御信号ＳＧ９を赤外線エミッタ４０に向けて出力する。
【００３４】
赤外線エミッタ４０は、外部から入力された立体画像信号ＳＧ１に基づいて、画像表示部によって表示する３Ｄ画像の表示タイミングと、この表示タイミングに合わせてシャッター式３Ｄメガネのシャッター３２Ｌ，３２Ｒの駆動タイミングとを同期させる同期信号ＳＧ１０を、シャッター式３Ｄメガネに対して送信する。
【００３５】
具体的には、赤外線エミッタ４０は、ＣＰＵ２９から入力されたタイミング信号ＳＧ７に同期してシャッター式３Ｄメガネ２７の右シャッター３２Ｒと左シャッター３２Ｌとの駆動タイミングを制御する制御指令の情報を赤外線信号（同期信号ＳＧ１０）に変換し、有線または無線の通信手段を介して赤外線受光機能を有するシャッター式３Ｄメガネ２７に送信する。
【００３６】
図４は、赤外線エミッタの概略構成を示す図である。
図４に示すように、赤外線エミッタ４０は、信号送信部４２、回転支持部（移動機構）４３および調整機構部（調整機構）４５を有して構成されている。
信号送信部４２には、複数のＬＥＤ（光源）４１が筐体４２Ａ内に一列あるいは複数列に配列されてなる。ここで、全てのＬＥＤ４１が指向性の高いものであってもよいが、筐体４２Ａの領域に応じて指向性が異なるＬＥＤ４１を採用しても良い。例えば、搭載される複数のＬＥＤ４１のうち、筐体４２Ａの中央には指向性の高いＬＥＤ４１を配置し、長手方向両側に拡散性のＬＥＤ４１を配置するようにしてもよい。これにより、赤外線エミッタ４０の赤外線送信領域をより広げることが可能である。
【００３７】
回転支持部４３は、赤外線エミッタ４０を部屋の所定位置に固定するための固定部４４と、固定部４４に対して信号送信部４２を回動可能に支持する支軸４６とを有する。回転支持部４３は、上記した信号送信部４２を、支軸４６を中心にしてその周方向に所定の角度範囲で回動するように支持するものであり、具体的に本実施形態では、０°〜１８０°の角度範囲内で往復回動可能とする。信号送信部４２を回動可能に構成することで、赤外線信号の送信範囲を拡大させることができるので、どの位置からでもユーザーが装着しているシャッター式３Ｄメガネ２７に全てのＬＥＤ４１を向けることが可能になる。
【００３８】
また、赤外線エミッタ４０には、固定部４４に対する信号送信部４２に上下方向の向き（仰俯角）を、ユーザーの手動によって任意に調整することのできる調整機構部４５が設けられている。調整機構部４５は、支軸４６に直交するとともに信号送信部４２の背面側に固定された傾動軸４７と、信号送信部４２と一体とされた傾動軸４７の軸周りの回動を規制する位置決め部４８とを有し、ユーザーの操作によって信号送信部４２の傾動角度を固定する。例えば、プロジェクター１が赤外線エミッタ４０よりも上方に設置されている場合に、信号送信部４２の上下方向を変更することでプロジェクター１に向けることが可能である。
なお、赤外線エミッタ４０の回転支持部４３及び調整機構部４５の構成は上記した構成に限らない。
【００３９】
図５は、シャッター式３Ｄメガネの概略構成を示すブロック図である。
図５に示すように、シャッター式３Ｄメガネ２７は、上記した右シャッター３２Ｒ及び左シャッター３２Ｌの他に、赤外線エミッタ４０からの赤外線信号を受信する信号受信部３７と、この信号受信部３７において赤外線エミッタ４０からの赤外線信号（同期信号）を受信できない場合に、既に受信済みの赤外線信号に基づいて、シャッター３２Ｒ，３２Ｌの切り換え駆動を自走制御するための自走回路３８を有する。この自走回路３８は、信号受信部３７において赤外線信号が受信できている間（入力されている間）は動作を停止し、信号受信部３７において赤外線信号が受信できない間（入力されていない間）に動作を開始する。
【００４０】
上述したように、赤外線エミッタ４０は、首振り機能を有していることから、赤外線エミッタ４０がユーザーのいる方向とは（シャッター式３Ｄメガネ２７側）とは異なる方向に回動している場合には、信号受信部３７において赤外線エミッタ４０からの赤外線信号を安定して受信することができない。このため、自走回路３８は、赤外線信号に基づく駆動タイミングで右シャッター３２Ｒ，左シャッター３２Ｌを、赤外線受信時と同じタイミングで駆動させる自走制御信号ＳＧ１１を生成する。自走制御信号ＳＧ１１は、信号受信部３７において赤外線エミッタ４０からの赤外線信号を安定して受信できない場合に、この赤外線信号の代わりに右シャッター３２Ｒ，左シャッター３２Ｌの駆動制御に用いられる信号である。
【００４１】
ここで、赤外線エミッタ４０からの赤外線信号によって右シャッター３２Ｒ，左シャッター３２Ｌを制御する制御モードを通常モードと呼ぶ。一方、自走制御信号ＳＧ１１によって右シャッター３２Ｒ，左シャッター３２Ｌを制御する制御モードを自走モードと呼ぶ。
【００４２】
自走回路３８は、通常モードと自走モードとを切り換えて動作させるために赤外線受信の有無を検知する信号検出部３９と、この信号検出部３９における検出結果に基づいてシャッターの駆動モードを切り換えるモード切換部３６とをさらに備える。
【００４３】
自走モードでは、自走機能動作時間が３〜５秒程度に設定される。この場合、赤外線エミッタ４０の回動周期が２秒〜４秒であることが好ましい。つまり、自走機能動作時間が５秒に設定されている場合、実際に赤外線信号を受信できない期間は５秒以内とする。すなわち、実際に赤外線信号を受信できない時間を許容できる長さに自走機能動作時間を設定することで、プロジェクター１における右眼用画像と左眼用画像の表示切換タイミング信号と、シャッター式３Ｄメガネ２７の左右シャッターの切換タイミング信号との同期を確実にとることができる。
【００４４】
なお、自走機能動作期間が赤外線を受信できない期間を超える長さに設定されている場合には同期ズレが生じてくる。また、自走機能動作期間内であっても、赤外線エミッタ４０の１周期が５秒を越える場合には同期ズレが生じやすくなることから、赤外線エミッタ４０の回動周期期間が５秒以内に設定されることが好ましい。
【００４５】
赤外線エミッタ４０からの赤外線信号が信号受信部３７に入力されたり、自走回路によってシャッター３２Ｌ，３２Ｒの駆動制御信号が生成されることで、左シャッター３２Ｌ、右シャッター３２Ｒが交互に切り換えられて開閉されると、シャッター式３Ｄメガネ２７を装着したユーザーは、スクリーン１９に映し出された画像を３次元立体画像として視認することができる。
【００４６】
本実施形態のプロジェクター１は、プロジェクター１に使用するシャッター式３Ｄメガネ２７に対して、立体画像の左眼用画像と右眼用画像との表示切換タイミングに、左シャッターＬと右シャッターＲとの切換動作タイミングを同期させる信号を生成してシャッター式３Ｄメガネ２７に送信する赤外線エミッタ４０を備えている。この赤外線エミッタ４０は、首振り機能を有しており、所定の角度範囲を往復回動するように構成されている。
【００４７】
このため、ユーザーの位置に関わらず、赤外線エミッタ４０のＬＥＤ４１をユーザーに向けることができるので、赤外線信号がシャッター式３Ｄメガネ２７に確実に届くようになる。つまり、プロジェクター１との位置関係に関わらず赤外線送信範囲を拡大させることができるので、通常では、赤外線送信側と受信側との位置関係により送信された信号が受信側に届かないエリアでも、シャッター式３Ｄメガネ２７において受信可能となる。つまり、ユーザーが部屋のどの位置からスクリーン１９を視ていたとしても、装着しているシャッター式３Ｄメガネ２７において赤外線エミッタ４０からの赤外線信号（同期信号）を確実に受信することができる。これにより、ユーザーの視聴位置が限定されることがない。
【００４８】
また、赤外線エミッタ４０の回動により、各ユーザーは、シャッター式３Ｄメガネにおいて赤外線エミッタ４０からの赤外線信号を間欠的に受信することになる。本実施形態のシャッター式３Ｄメガネ２７には自走回路が組み込まれていることから、回動する赤外線エミッタ４０からの受信が途切れる期間にも、シャッター切換のための駆動制御を行うことができる。よって、赤外線信号の送信範囲を拡大させるために赤外線エミッタ４０を所定の周期で回動させる構成において、シャッター式３Ｄメガネ２７にて赤外線エミッタ４０からの赤外線信号を受信できない期間中、赤外線エミッタ４０から送信された赤外線信号に同期する自走信号を生成して左右シャッターの切換駆動を制御することにより、ユーザーはその視認位置に関わらず、好きな場所で良好な立体画像を視認することができる。
【００４９】
さらに、赤外線エミッタ４０による赤外線送信範囲が拡大されたことで、複数人のユーザーが異なる場所にいる場合でも対応することが可能となる。このとき、１つの赤外線エミッタ４０から各ユーザーに向けて赤外線信号が順次送信されることになるので、他のユーザーに送信された赤外線と干渉することがなく、各シャッター式３Ｄメガネ２７において誤作動が生じることもない。このため、ユーザーは各自装着しているシャッター式３Ｄメガネ２７を介してスクリーン１９上の立体画像を良好に視認することが可能である。
【００５０】
また、従来のような首振り機能を備えない赤外線エミッタの構成において、本実施形態同様の信号送信範囲をカバーしようとするとかなりの数のＬＥＤ４１が必要となってしまい、消費電力とコストの観点から望ましくない。また、シャッター式メガネの構成においても、信号受信範囲を拡大させるためには多くのＬＥＤ４１が必要となってしまう。
首振り機能を備えた本実施形態の赤外線エミッタ４０の構成であれば、ＬＥＤ４１の数を増加させることなく信号送信範囲を拡大させることが可能なため、コストや消費電力の増加を心配する必要がなくなる。
【００５１】
また、従来、赤外線エミッタ内蔵のプロジェクターから出力された赤外線信号をスクリーンに反射させてユーザーのシャッター式メガネにおいて受信させる方法において、ユーザーがプロジェクターよりも後方にいる場合には赤外線の強度が十分でないとユーザーまで到達しないという問題があったが、本実施形態の赤外線エミッタ４０は、プロジェクター１とは別体になっているので、シャッター式３Ｄメガネ２７において赤外線信号を確実に受信させることのできる場所に赤外線エミッタ４０を設置することが可能である。
【００５２】
また、赤外線信号をスクリーンにて反射させる場合にはスクリーンの指向性によって赤外線がユーザー側に反射されないという問題があったが、本実施形態のような首振り機能を備える赤外線エミッタ４０であれば、スクリーンに反射させる必要がないだけでなく赤外線エミッタ４０をユーザーの近傍に配置できるため、ユーザーに向けて確実に赤外線信号を送信することができるとともに、赤外線の強度不足によって受信不良が生じるという問題が解消される。
【００５３】
以上、添付図面を参照しながら本発明に係る好適な実施形態について説明したが、本発明に係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【００５４】
先の実施形態では、信号送信部４２のＬＥＤ４１を周期的に移動させる手段として、支軸４６を中心としてその周方向に回動させる構成としたが、これに限られることなく、例えば、信号送信部４２あるいは複数のＬＥＤ４１を一方向に往復移動させる構成としてもよい。
【符号の説明】
【００５５】
１…プロジェクター（画像表示装置）、２…画像表示部、３…光源、２７…シャッター式３Ｄメガネ、３２Ｌ…左シャッター（シャッター部）、３２Ｒ…右シャッター（シャッター部）、３７…信号受信部、３８…自走回路、４０…赤外線エミッタ（赤外線送信機）、４１…ＬＥＤ（光源）、４２…信号送信部、４３…回転支持部（移動機構）、４５…調整機構部（調整機構）、ＳＧ１０…同期信号
【図１】
2013017013.tif 000003
【図２】
2013017013.tif 000004
【図３】
2013017013.tif 000005
【図４】
2013017013.tif 000006
【図５】
2013017013.tif 000007